(57)【要約】【課題】顧客がレジ袋の購入を希望する際にレジ袋の登録処理を確実に行うことができる。【解決手段】店舗で用意した有料のレジ袋が必要であるか否かを示す入力を受け付けるまで、次操作を禁止し、レジ袋が必要であることを示す入力を受け付けた場合は、商品登録操作の終了後、レジ袋の枚数の入力と登録された商品の買上合計金額を表示するレジ袋登録画面を表示し、レジ袋の枚数が入力されると、その枚数に応じたレジ袋の価格を買上合計金額に含めて表示し、レジ袋の枚数の入力が完了すると、レジ袋の価格を含む代金支払いのための会計処理を行う。【選択図】図１
2014149881.tif 000002
【特許請求の範囲】
【請求項１】
店舗で用意した有料のレジ袋が必要であるか否かを示す入力を受け付けるまで、次操作を禁止し、
前記レジ袋が必要であることを示す入力を受け付けた場合は、商品登録操作の終了後、前記レジ袋の枚数の入力と登録された商品の買上合計金額を表示するレジ袋登録画面を表示し、前記レジ袋の枚数が入力されると、その枚数に応じたレジ袋の価格を前記買上合計金額に含めて表示し、前記レジ袋の枚数の入力が完了すると、前記レジ袋の価格を含む代金支払いのための会計処理を行う
ことを特徴とするセルフレジスタ。
【請求項２】
前記有料のレジ袋が不要であることを示す入力を受け付けた場合は、前記商品登録操作の終了後、前記レジ袋の価格を含まない代金支払いのための会計処理を行う
ことを特徴とする請求項１に記載のセルフレジスタ。
【発明の詳細な説明】
【技術分野】
【０００１】
本発明は、スーパーマーケットなどの小売店で利用され、買上商品の精算のために商品登録を行うセルフレジスタに関する。
【背景技術】
【０００２】
環境問題の高まりから、店舗で用意したレジ袋を有料とし、買上合計金額にレジ袋の価格を加算するレジスタが知られている（例えば、特許文献１参照）。
【先行技術文献】
【特許文献】
【０００３】
【特許文献１】特開２００７−２０６９２９号公報
【発明の概要】
【発明が解決しようとする課題】
【０００４】
しかしながら、特許文献１の技術をセルフレジスタに用いると、顧客がレジ袋の購入を希望するにも関わらずレジ袋の登録操作を忘れた場合、セルフレジスタはレジ袋の登録操作が行われない場合の対策処理を行うことがない。そのため、セルフレジスタは、顧客がレジ袋の購入を希望するにも関わらずレジ袋の登録処理を実行せずに商品登録処理および精算処理を完了する可能性がある。また、顧客は、セルフレジスタの操作を行っている際には買上商品の登録や精算処理に神経が集中している状態であるため、レジ袋の登録操作を忘れる傾向が強く、顧客によるマイバッグ持参率向上の妨げになっている。
【０００５】
本発明は上記の点に鑑みてなされたものであり、顧客がレジ袋の購入を希望する際に、レジ袋の登録処理を確実に行うことができるセルフレジスタを提供することを目的とする。
【課題を解決するための手段】
【０００６】
本発明は、店舗で用意した有料のレジ袋が必要であるか否かを示す入力を受け付けるまで、次操作を禁止し、前記レジ袋が必要であることを示す入力を受け付けた場合は、商品登録操作の終了後、前記レジ袋の枚数の入力と登録された商品の買上合計金額を表示するレジ袋登録画面を表示し、前記レジ袋の枚数が入力されると、その枚数に応じたレジ袋の価格を前記買上合計金額に含めて表示し、前記レジ袋の枚数の入力が完了すると、前記レジ袋の価格を含む代金支払いのための会計処理を行うことを特徴とするセルフレジスタである。
【０００７】
これにより、レジ袋が必要であるか否かを示す入力をしなければ商品登録操作を行うことができないため、この入力を忘れることを防ぐことができる。しかも、セルフレジスタであっても、顧客は、買上商品の登録あるいは代金支払いに神経が集中する以前にレジ袋が必要であるか否かを示す入力を行うため、落ち着いて正確な判断のもとにレジ袋が必要であるか否かを示す入力を行うことができる。しかも、この表示は全ての商品の登録が完了した後に行われるため、顧客は、必要なレジ袋の種類あるいは枚数を把握することができ、レジ袋の種類あるいは枚数の入力を行い易い。
【０００８】
また、本発明は、前記有料のレジ袋が不要であることを示す入力を受け付けた場合は、前記商品登録操作の終了後、前記レジ袋の価格を含まない代金支払いのための会計処理を行うことを特徴とするセルフレジスタである。
【０００９】
これにより、レジ袋の種類あるいは枚数の入力を促す表示を必要な顧客にのみ効果的に行うことができるため、顧客に不要な煩わしさを与えないようにすることができる。
【発明の効果】
【００１０】
本発明によれば、顧客がレジ袋の購入を希望する際に、レジ袋の登録処理を確実に行うことができる。
【図面の簡単な説明】
【００１１】
【図１】本発明の一実施形態におけるセルフレジスタの外観を示した構成図である。
【図２】本実施形態におけるセルフレジスタの電気的構成を示すブロック図である。
【図３】本実施形態における商品ファイルのデータ構造を示した概略図である。
【図４】本実施形態におけるレジ袋要否入力画面を示した概略図である。
【図５】本実施形態における小計画面を示した概略図である。
【図６】本実施形態におけるレジ袋登録画面を示した概略図である。
【図７】本実施形態におけるセルフレジスタの会計処理手順を示したフローチャートである。
【発明を実施するための形態】
【００１２】
以下、図面を参照しながら本発明の一実施形態について説明する。図１は本実施形態のセルフレジスタの外観を示した構成図である。図示する例では、セルフレジスタ１は、液晶パネル１０１と、液晶タッチパネル１０２と、スキャナＡ１０３ａと、スキャナＢ１０３ｂと、計量部Ａ１０４と、計量部Ｂ１０５と、紙幣挿入口１０６と、硬貨投入口１０７と、紙幣出口１０８と、硬貨出口１０９と、レシート発行口１１０と、大型レジ袋収容部１２０と、中型レジ袋収容部１２１と、小型レジ袋収容部１２２とを備えている。
【００１３】
液晶パネル１０１と液晶タッチパネル１０２とは隣接して設けられている。液晶パネル１０１は、後述するように、操作ガイド情報を表示し、ユーザに対して、操作ガイドを行う。液晶タッチパネル１０２は、液晶パネル１０１に表示された内容に呼応するように操作ボタンを表示し、該操作ボタンによって、所望の機能を実現する。
【００１４】
スキャナＡ１０３ａとスキャナＢ１０３ｂとは、商品に貼付されているバーコードを読み取る。計量部Ａ１０４は、商品登録前の商品が入ったカゴ１１１の重量を測定する。計量部Ｂ１０５は、商品登録後の商品が入ったカゴ１１２の重量を測定する。
【００１５】
紙幣挿入口１０６と硬貨投入口１０７とは、お金の投入を受け付ける。紙幣出口１０８と硬貨出口１０９とは、お釣りを返却する。レシート発行口は、後述するレシートプリンタによって印刷されるレシートを排出する。
【００１６】
大型レジ袋収容部１２０は大型のレジ袋を収納する。中型レジ袋収容部１２１は中型のレジ袋を収納する。小型レジ袋収容部１２２は小型のレジ袋を収納する。
【００１７】
次に、セルフレジスタ１の構成について説明する。図２は、本実施形態におけるセルフレジスタ１の電気的構成を示すブロック図である。図示する例では、セルフレジスタ１は、液晶パネル１０１と、液晶タッチパネル１０２と、スキャナＡ１０３ａと、スキャナＢ１０３ｂと、計量部Ａ１０４と、計量部Ｂ１０５と、ＣＰＵ２０１（Ｃｅｎｔｒａｌ  Ｐｒｏｃｅｓｓｉｎｇ  Ｕｎｉｔ、中央演算処理装置）と、ＲＯＭ２０２（Ｒｅａｄ  Ｏｎｌｙ  Ｍｅｍｏｒｙ、リードオンリーメモリ）と、ＲＡＭ２０３（Ｒａｎｄｏｍ  Ａｃｃｅｓｓ  Ｍｅｍｏｒｙ、ランダムアクセスメモリ）と、スピーカ２０４と、入出金部２０５と、レシートプリンタ２０６とを備えている。
【００１８】
ＣＰＵ２０１は、バス２００を介してセルフレジスタ１が備える各部と互いにデータの入出力が可能な状態で接続している。ＣＰＵ２０１は、ＲＯＭ２０２が記憶するセルフレジスタ１の制御プログラムとＲＡＭ２０３が記憶する各種の情報を読み出し、読み出したプログラムに基づいてセルフレジスタ１が備える各部の制御を行う。
【００１９】
ＲＯＭ２０２は、ＣＰＵ２０１の動作を制御する制御プログラムを記憶する。ＲＡＭ２０３は、ＣＰＵ２０１が用いる情報を記憶する一時記憶領域である。また、ＲＡＭ４３は、商品ファイルを記憶する。商品ファイルについては後述する。
【００２０】
スピーカ２０４は音声を出力する。入出金部２０５は、紙幣挿入口１０６と硬貨投入口１０７とから投入された金額を算出する。また、入出金部２０５は、紙幣出口１０８と硬貨出口１０９とを制御し、お釣りを返却する。レシートプリンタ２０６はレシートを印字する。
【００２１】
次に、ＲＡＭ２０３が記憶する商品ファイルについて説明する。図３は、本実施形態におけるＲＡＭ２０３が記憶する商品ファイルのデータ構造を示した概略図である。
【００２２】
図示する例では、商品ファイルは表形式のデータ構造を有しており、「品番」と、「品名」と、「価格」とのデータ項目を有する。「品番」は、商品を一意に特定する識別子である。「品名」は、商品の名称である。「価格」は、商品の価格である。
【００２３】
例えば、行３０１は、品番「１００２」が一意に特定する商品の品名は「のど飴」であり、この商品の価格は「１００（円）」であることを示している。また、行３０２は、品番「３００１」が一意に特定する商品の品名は「レジ袋大」であり、この商品の価格は「５（円）」であることを示している。他の品番で特定することができる情報については図示するとおりである。このように、商品ファイルは、レジ袋（大）と、レジ袋（中）と、レジ袋（小）の３種類のレジ袋の品番と、品名と、価格とを、通常の商品と同様に記憶している。
【００２４】
次に、液晶パネル１０１と液晶タッチパネル１０２とが表示する画面例について図４〜図６に基づいて説明する。なお、各画面の遷移については後述する。
【００２５】
図４（ａ）（ｂ）は、本実施形態における液晶パネル１０１と液晶タッチパネル１０２とが表示する、レジ袋要否入力画面を示した概略図である。図４（ａ）は、液晶パネル１０１が表示するレジ袋要否入力画面であり、会計処理を開始するための操作方法の説明を表示する画面である。図示する例では、液晶パネル１０１は、画面中央に「ボタンを選択しスタートしてください」と表示している。
【００２６】
図４（ｂ）は、液晶タッチパネル１０２が表示するレジ袋要否入力画面であり、レジ袋を購入して会計処理をスタートするか、マイバッグを持参しているためレジ袋を購入せずに会計処理をスタートするかの選択を受け付ける画面である。図示する例では、液晶タッチパネル１０２は、画面左側に、レジ袋を購入して会計処理をスタートすることを示す入力を受け付ける「レジ袋スタート」ボタン４０１を表示している。また、液晶タッチパネル１０２は、画面右側に、レジ袋を購入せずに会計処理をスタートすることを示す入力を受け付ける「マイバッグスタート」ボタン４０２を表示している。また、レジ袋は有料であることを示すため、液晶タッチパネル１０２は「レジ袋スタート」ボタンの下の領域４０３に「レジ袋は有料となっております」と表示している。
【００２７】
図５（ａ）（ｂ）は、本実施形態における液晶パネル１０１と液晶タッチパネル１０２とが商品登録が行われる毎に表示する、小計画面を示した概略図である。図５（ａ）は、液晶パネル１０１が表示する小計画面であり、登録処理を終了するための操作方法の説明を表示する画面である。図示する例では、液晶パネル１０１は、画面中央に「全ての商品の登録が終わりましたら会計ボタンを押しお会計に進んでください」と表示している。
【００２８】
図５（ｂ）は、液晶タッチパネル１０２が表示する小計画面であり、セルフレジスタ１に登録された買上商品の情報を表示し、登録処理の終了指示を受け付ける画面である。図示する例では、液晶タッチパネル１０２は、画面上部の領域５０１に「全ての商品の登録が完了しましたらお会計ボタンを押してください」と表示している。また、液晶タッチパネル１０２は、画面左側の領域５０２にセルフレジスタ１に登録された商品名と価格とを表示している。また、液晶タッチパネル１０２は、画面右側中央の領域５０３に買上点数と小計と合計とを表示している。また、液晶タッチパネル１０２は、画面右側下部の領域５０４に「バーコードなし」ボタン５０４１と「お会計」ボタン５０４２とを表示している。
【００２９】
図６（ａ）（ｂ）は、本実施形態における液晶パネル１０１と液晶タッチパネル１０２とが表示する、レジ袋登録画面を示した概略図である。図６（ａ）は、液晶パネル１０１が表示するレジ袋登録画面であり、レジ袋の枚数を登録する操作方法の説明を表示する画面である。図示する例では、液晶パネル１０１は、画面中央に「レジ袋の枚数を入力してください」と表示している。
【００３０】
図６（ｂ）は、液晶タッチパネル１０２が表示するレジ袋登録画面であり、レジ袋の枚数の登録指示を受け付ける画面である。図示する例では、液晶タッチパネル１０２は、画面上部の領域６０１に「レジ袋は有料となっております  枚数を入力ください」と表示している。また、液晶タッチパネル１０２は、画面中央の領域６０２に、レジ袋（大）と、レジ袋（中）と、レジ袋（小）とのそれぞれの枚数を指定する「−」ボタン６０２１〜６０２３および「＋」ボタン６０２４〜６０２６と、レジ袋（大）と、レジ袋（中）と、レジ袋（小）との枚数および金額を表示している。また、液晶タッチパネル１０２は、画面下部の領域６０３に、合計金額と「確定」ボタン６０３１とを表示している。
【００３１】
次に、セルフレジスタ１の会計処理手順について、図７に示したフローチャートを参照して説明する。図７は、本実施形態におけるセルフレジスタ１の会計処理手順を示したフローチャートである。なお、このフローチャートは顧客１人に対するセルフレジスタ１の会計処理手順を示している。
【００３２】
（ステップＳ１０１）液晶パネル１０１と液晶タッチパネル１０２とは、レジ袋要否入力画面を表示する。その後、ステップＳ１０２の処理に進む。ステップＳ１０１で液晶パネル１０１と液晶タッチパネル１０２とが表示する画面は、図４に示したレジ袋要否入力画面である。なお、顧客は、レジ袋を必要とする場合（レジ袋を購入する場合）には液晶タッチパネル１０２が表示する「レジ袋スタート」ボタン４０１を押下し、レジ袋を必要としない場合（レジ袋を購入しない場合）には液晶タッチパネル１０２が表示する「マイバッグスタート」ボタン４０２を押下する。
【００３３】
（ステップＳ１０２）ＣＰＵ２０１は、液晶タッチパネル１０２が表示する「レジ袋スタート」ボタン４０１と「マイバッグスタート」ボタン４０２とのどちらのボタンが押下されたかを判定する。ＣＰＵ２０１は、「レジ袋スタート」ボタン４０１が押下されたと判定した場合には、顧客はレジ袋を必要としていると判定し、ステップＳ１０３の処理（ＹＥＳ）に進む。また、ＣＰＵ２０１は、「マイバッグスタート」ボタン４０２が押下されたと判定した場合には、顧客はレジ袋を必要としていないと判定し、ステップＳ１０４の処理（ＮＯ）に進む。
【００３４】
（ステップＳ１０３）ＣＰＵ２０１は、ＲＡＭ２０３のワークエリア内に「レジ袋フラグ」をセットする。その後、ステップＳ１０４の処理に進む。
【００３５】
（ステップＳ１０４）顧客は、購入する商品をセルフレジスタ１に登録するために、商品に付されているバーコードを、スキャナＡ１０３ａまたはスキャナＢ１０３ｂに近づける。スキャナＡ１０３ａまたはスキャナＢ１０３ｂは、近づけられたバーコードから品番を読み取る。ＣＰＵ２０１は、スキャナＡ１０３ａまたはスキャナＢ１０３ｂが読み取った品番とＲＡＭ２０３が記憶する商品ファイルとに基づいて、顧客が購入する商品の情報をＲＡＭ２０３に記憶させ、ＲＡＭ２０３のワークエリア内に設けた買上合計金額に顧客が購入する商品の価格を加算する。その後、ステップＳ１０５の処理に進む。
【００３６】
（ステップＳ１０５）液晶パネル１０１と液晶タッチパネル１０２とは、小計画面を表示する。ステップＳ１０５で液晶パネル１０１と液晶タッチパネル１０２とが表示する画面は、図５に示した小計画面である。顧客は、商品の登録処理の終了を指示する場合、「お会計」ボタン５０４２を押下する。ＣＰＵ２０１は、「お会計」ボタン５０４２が押下されたか否かを判定する。ＣＰＵ２０１は、「お会計」ボタン５０４２が押下されたと判定した場合にはステップＳ１０６の処理（ＹＥＳ）に進み、それ以外の場合にはステップＳ１０４の処理（ＮＯ）に戻る。
【００３７】
（ステップＳ１０６）ＣＰＵ２０１は、ＲＡＭ２０３のワークエリア内に「レジ袋フラグ」がセットされているか否かを判定する。ＣＰＵ２０１は、ＲＡＭ２０３のワークエリア内に「レジ袋フラグ」がセットされていると判定した場合にはステップＳ１０７の処理（ＹＥＳ）に進み、それ以外の場合にはステップＳ１０９の処理（ＮＯ）に進む。
【００３８】
（ステップＳ１０７）液晶パネル１０１と液晶タッチパネル１０２とは、レジ袋登録画面を表示する。その後、ステップＳ１０８の処理に進む。ステップＳ１０６で液晶パネル１０１と液晶タッチパネル１０２とが表示する画面は、図６に示したレジ袋登録画面である。
【００３９】
（ステップＳ１０８）顧客は、液晶タッチパネル１０２が表示するレジ袋登録画面の「−」ボタン６０２１〜６０２３と「＋」ボタン６０２４〜６０２６とを押下して購入するレジ袋の枚数を設定する。購入するレジ袋の枚数の設定が完了した場合、顧客は「確定」ボタン６０３１を押下する。ＣＰＵ２０１は、「確定」ボタン６０３１が押下された場合には、設定されたレジ袋の情報をＲＡＭ２０３に記憶させ、ＲＡＭ２０３のワークエリア内に設けた買上合計金額に顧客が購入するレジ袋の価格を加算する。その後、ステップＳ１０９の処理に進む。
【００４０】
（ステップＳ１０９）セルフレジスタ１は、会計処理を行う。その後、ステップＳ１１０の処理に進む。会計処理の具体的な方法としては、顧客は紙幣挿入口１０６と硬貨投入口１０７とにお金を投入する。続いて、入出金部２０５は、紙幣挿入口１０６と硬貨投入口１０７とから投入された金額を算出する。続いて、ＣＰＵ２０１は、ＲＡＭ２０３のワークエリア内に設けた買い上げ合計金額と入出金部２０５が算出した金額とに基づいて、お釣りを算出する。続いて、入出金部２０５は、紙幣出口１０８と硬貨出口１０９とを制御し、お釣りを返却する。続いて、レシートプリンタ２０６はレシートを印字し、レシート発行口１１０から排出する。
【００４１】
（ステップＳ１１０）ＣＰＵ２０１は、ＲＡＭ２０３のワークエリア内に記憶されているレジ袋フラグと、顧客が購入する商品の情報と、買い上げ合計金額とを消去する。その後、処理を終了する。
【００４２】
上述したとおり、本実施形態によれば、レジ袋が必要であるか否かを示す入力をしなければ商品登録操作を行うことができないため、この入力を忘れることを防ぐことができる。しかも、セルフレジスタであっても、顧客は、買上商品の登録あるいは代金支払いに神経が集中する以前にレジ袋が必要であるか否かを示す入力するため、落ち着いて正確な判断のもとにレジ袋が必要であるか否かを示す入力を行うことができる。
【００４３】
また、レジ袋が必要であることを示す入力を受け付けた場合には、商品登録操作の終了後、レジ袋の種類あるいは枚数の入力を促す表示を行うため、レジ袋の種類あるいは枚数の入力を促す表示を効果的に行うことができ、顧客に不要な煩わしさを与えないようにすることができる。しかも、この表示は全ての商品の登録が完了した後に行われるため、顧客は、必要なレジ袋の種類あるいは枚数を把握することができ、レジ袋の種類あるいは枚数の入力を行い易い。
【００４４】
なお、大型レジ袋収容部１２０と、中型レジ袋収容部１２１と、小型レジ袋収容部１２２とに、引き出しの解放を禁止するロックを設け、通常時には引き出しの解放を禁止してレジ袋を取り出せないようにし、レジ袋要否入力画面で「レジ袋スタート」ボタン４０１が押下された場合にのみ、この顧客の処理が終了するまで引き出しの解放を禁止するロックを解除するようにしてもよい。また、大型レジ袋収容部１２０と、中型レジ袋収容部１２１と、小型レジ袋収容部１２２の引き出しは自動的に閉じるように付勢してもよい。
【００４５】
これにより、レジ袋の無料使用を防止することができるため、顧客の袋持参率の向上に繋げることができる。
【００４６】
また、大型レジ袋収容部１２０と、中型レジ袋収容部１２１と、小型レジ袋収容部１２２とは、レジ袋の孔部を通して多数のレジ袋を引っ掛けて収容する輪状タイプの収容部であってもよく、レジ袋要否入力画面で「レジ袋スタート」ボタン４０１が押下された場合にのみ、輪の一部が開いてレジ袋を取り出せるようにしてもよい。
【００４７】
また、顧客が購入する商品の全の登録が完了したか否かの判定は、計量部Ａ１０４が測定する商品登録前の商品が入ったカゴ１１１の重量に基づいて判断してもよい。
【００４８】
また、レジ袋の種類あるいは枚数の入力を促す表示とは、その旨を示すメッセージの表示あるいは音声出力を含む。そして、セルフレジスタ１は、レジ袋の種類あるいは枚数の入力を促す表示を行った後に、レジ袋の種類あるいは枚数の入力を受け付ける手段を備えるようにしてもよい。
【００４９】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００５０】
１・・・セルフレジスタ、１０１・・・液晶パネル、１０２・・・液晶タッチパネル、１０３ａ・・・スキャナＡ、１０３ｂ・・・スキャナＢ、１０４・・・計量部Ａ、１０５・・・計量部Ｂ、１０６・・・紙幣挿入口、１０７・・・硬貨投入口、１０８・・・紙幣出口、１０９・・・硬貨出口、１１０・・・レシート発行口、１２０・・・大型レジ袋収容部、１２１・・・中型レジ袋収容部、１２２・・・小型レジ袋収容部、２００・・・バス、２０１・・・ＣＰＵ、２０２・・・ＲＯＭ、２０３・・・ＲＡＭ、２０４・・・スピーカ、２０５・・・入出金部、２０６・・・レシートプリンタ
【図１】
2014149881.tif 000003
【図２】
2014149881.tif 000004
【図３】
2014149881.tif 000005
【図４】
2014149881.tif 000006
【図５】
2014149881.tif 000007
【図６】
2014149881.tif 000008
【図７】
2014149881.tif 000009